(57)【特許請求の範囲】
【請求項１】
底壁と、該底壁の外周縁から立設して形成された側壁とを有する収納部と、
天壁と、該天壁の外周縁から垂下して形成された側壁とを有し、該側壁が該収納部を構成する該側壁とヒンジを介して開閉可能に連結された蓋部とを具備し、中心穴を備えた環状のブレードを収容するブレードケースにおいて、
該収納部の該底壁の上面中央部に設けられブレードの中心穴が嵌合する中心穴支持部と、該中心穴支持部の外側に設けられ該中心穴支持部に嵌合したブレードを載置するブレード支持部とからなるブレード支持手段と、
該蓋部に設けられ該収納部と該蓋部が閉止状態において該ブレード支持部に載置されたブレードを押圧するブレード押さえ手段と、
該収納部の該側壁と該蓋部の該側壁とに形成され該収納部と該蓋部との閉止状態を維持するロック手段と、からなる、
ことを特徴とするブレードケース。
【請求項２】
該ブレード押さえ手段は、ブレードを押さえるブレード押さえ部と、該ブレード押さえ部を付勢するバネ部とから構成されている、請求項１記載のブレードケース。
【請求項３】
該ブレード支持手段を構成する該中心穴支持部と該ブレード支持部は一体に形成されており、該収納部の該底壁に着脱可能に構成されている、請求項１記載のブレードケース。
【請求項４】
該収納部と該蓋部はそれぞれその外周が少なくとも一つの直線部を有しており、該直線部において該収納部と該蓋部が該ヒンジを介して開閉可能に連結されている、請求項１記載のブレードケース。
【請求項５】
該収納部の該底壁には非円形の凹部が形成されており、該蓋部の該天壁には該凹部と嵌合する非円形の凸部が形成されている、請求項１記載のブレードケース。
【請求項６】
該収納部と該蓋部および該ヒンジは、ポリプロピレンによって一体成形されている、請求項１記載のブレードケース。
【発明の詳細な説明】
【０００１】
【発明の属する技術分野】
本発明は、環状のブレード、特にワッシャータイプのブレードを収納するにの適するブレードケースに関する。
【０００２】
【従来の技術】
半導体デバイス製造工程においては、略円板形状である半導体ウエーハの表面に格子状に配列された多数の領域にＩＣ、ＬＳＩ等の回路を形成し、該回路が形成された各領域を所定の切断ラインに沿ってダイシングすることにより個々の半導体素子を製造している。このように半導体ウエーハを分割するダイシング装置は、切削手段として回転スピンドルに装着される環状のブレードを備えている。
このブレードには、ダイヤモンド砥粒をレジンボンドで固めた厚さが１００μｍ前後のものや、ダイヤモンド砥粒をニッケルメッキで固めた厚さが２０μｍ前後のものがあるが、いずれにしても厚さが薄く壊れやすいため、回転スピンドルに装着するまではハードケースに収容されて慎重に取り扱われている。
【０００３】
しかるに、従来用いられているブレードケースは、環状のブレードに対応した円形の収納部と蓋部とからなっているので、転がりやすく、例えばテーブルから落下して収納されているブレードが破損する虞がある。また、収納部と蓋部が別体で構成されており、ブレードを収納した後に収納部と蓋部とを粘着テープによって固定しているために、ダイシング装置の回転スピンドルに装着する際、取扱に手間がかかり作業性が悪いとともに、ブレードを落下させ損傷させる虞がある等の問題がある。
【０００４】
このような問題を解消するために、本出願人は、ブレードの中央穴が嵌合する中心穴支持部を備えた収納部と蓋部とがヒンジを介して一体に形成され、少なくともヒンジを含む側部が直線に形成されたブレードケースを提案し、このブレードケースは特開平８ー３２３５４５号に開示されている。
【０００５】
【発明が解決しようとする課題】
而して、特開平８ー３２３５４５号に開示されたブレードケースは、ダイシング装置の回転スピンドルに装着されるハブの外周部にブレードを形成した所謂ハブブレードを収納する場合には蓋部の内面でハブを押圧する構成にすることができるので問題ないが、ブレードを装着するハブを持たない所謂ワッシャータイプのブレードを収納した場合にはブレードが確実に固定されずにガタ付きが生じ、搬送中にブレードが損傷する虞がある。また、中心穴の径が異なるブレードを収納する場合には、ブレードの中心穴の径の種類に対応した中心穴支持部を備えた複数のブレードケースを用意しなければならないという問題がある。
【０００６】
本発明は上記事実に鑑みてなされたものであり、その主たる技術課題は、ワッシャータイプのブレードでもケース内に収納した状態で確実に固定することができるブレードケースを提供することにある。
また、本発明の他の技術課題は、一部の部品を交換するだけで中心穴の径が異なるブレードを収納することができるブレードケースを提供することにある。
【０００７】
【課題を解決するための手段】
上記主たる技術課題を解決するため、本発明によれば、底壁と、該底壁の外周縁から立設して形成された側壁とを有する収納部と、
天壁と、該天壁の外周縁から垂下して形成された側壁とを有し、該側壁が該収納部を構成する該側壁とヒンジを介して開閉可能に連結された蓋部とを具備し、中心穴を備えた環状のブレードを収容するブレードケースにおいて、
該収納部の該底壁の上面中央部に設けられブレードの中心穴が嵌合する中心穴支持部と、該中心穴支持部の外側に設けられ該中心穴支持部に嵌合したブレードを載置するブレード支持部とからなるブレード支持手段と、
該蓋部に設けられ該収納部と該蓋部が閉止状態において該ブレード支持部に載置されたブレードを押圧するブレード押さえ手段と、
該収納部の該側壁と該蓋部の該側壁とに形成され該収納部と該蓋部との閉止状態を維持するロック手段と、からなる、
ことを特徴とするブレードケースが提供される。
【０００８】
上記ブレード押さえ手段は、ブレードを押さえるブレード押さえ部と、該ブレード押さえ部を付勢するバネ部とから構成されている。また、上記ブレード支持手段を構成する中心穴支持部とブレード支持部は一体に形成されており、上記収納部の底壁に着脱可能に構成されていることが望ましい。更に、上記収納部と蓋部はそれぞれその外周が少なくとも一つの直線部を有しており、該直線部において収納部と蓋部がヒンジを介して開閉可能に連結されていることが望ましく、上記収納部の底壁には非円形の凹部が形成されており、上記蓋部の天壁には該凹部と嵌合する非円形の凸部が形成されていることが望ましい。また、上記収納部と蓋部およびヒンジは、ポリプロピレンによって一体成形されていることが望ましい。
【０００９】
【発明の実施の形態】
以下、本発明に従って構成されたブレードケースの好適な実施形態について、添付図面を参照して詳細に説明する。
【００１０】
図１には本発明に従って構成されたブレードケース２の蓋部を開けた状態と該ブレードケースに収納されるワッシャータイプのブレード１０との斜視図が示されており、図２には図１に示すブレードケースの断面図が示されている。
図示の実施形態におけるブレードケース２は、収納部３と該収容部３とヒンジ５を介して開閉可能に連結された蓋部４とからなり、適宜の合成樹脂によって一体成形されている。なお、ブレードケース２を一体成形する合成樹脂としては、リサイクルが可能なポリプロピレンが望ましい。
【００１１】
収納部３は、底壁３１と該底壁３１の外周縁から立設して形成された側壁３２とを有している。底壁３１は、その外周が円弧部３１１と、該円弧部３１１の両端から互いに平行に延びる平行部３１２および３１２と、該平行部３１２と３１２とを結ぶ直線部３１３を有している。側壁３２も、底壁３１の円弧部３１１に対応する円弧部３２１と、底壁３１の平行部３１２および３１２に対応する平行部３３２および３２２と、底壁３１の直線部３１３と対応する直線部３２３とを有している。上記のように形成された底壁３１の上面中央部には、ブレード１０を支持するブレード支持手段３３が設けられている。ブレード支持手段３３は、底壁３１の上面から突出して形成されブレード１０の中心穴１０ａが嵌合する中心穴支持部３３１と、該中心穴支持部３３１の外側に底壁３１の上面から突出して形成され該中心穴支持部３３１に嵌合したブレード１０を載置するブレード支持部３３２とからなっており、図１および図２に示す実施形態においては収納部３の底壁３１と一体成形されている。中心穴支持部３３１は図示の実施形態においては環状の突出部が略１２０度の角度毎に設けられた３個の逃げ凹部３３２ａによって３個に分割して形成されているが、それぞれの外周面はブレード１０の中心穴１０ａと対応する半径の円弧面によって形成されている。なお、３個の逃げ凹部３３２ａは、後述するブレード押さえ手段を構成する脚部との干渉を防ぐために設けられている。この中心穴支持部３３１の外側に設けられるブレード支持部３３２は、円形をなしその外径はブレード１０の外径より小さく形成され、その高さが中心穴支持部３３１の高さより低く形成されている。なお、図１および図２に示す実施形態においては底壁３１の下面中央部には、直線部３１４ａを有するＤ字形をした非円形の凹部３１４が設けられている。また、図１および図２に示す実施形態においては底壁３１の中央部には、後述するブレード押さえ手段を構成する止め栓との干渉を防ぐための逃げ穴３１５が形成されている。
【００１２】
上記蓋部４は、天壁４１と該天壁４１の外周縁から垂下して形成された側壁４２とを有している。天壁３１は、上記収納部３を構成する底壁３１と略同一の外形形状に形成されており、その外周が円弧部４１１と、該円弧部４１１の両端から互いに平行に延びる平行部４１２および４１２と、該平行部４１２と４１２とを結ぶ直線部４１３を有している。側壁４２も、天壁４１の円弧部４１１に対応する円弧部４２１と、天壁４１の平行部４１２および４１２に対応する平行部４３２および４２２と、天壁４１の直線部４１３と対応する直線部４２３とを有している。なお、図１および図２に示す実施形態においては天壁４１の上面中央部には、上記収納部３を構成する底壁３１に形成されたＤ字形をした非円形の凹部３１４と嵌合するための、直線部４１４ａを有するＤ字形をした非円形の凸部４１４が設けられている。従って、複数個のブレードケース２を積み重ねる際には、収納部３を構成する底壁３１に形成された凹部３１４を下側のブレードケース２の蓋部４を構成する天壁４１に設けられた凸部４１４と嵌合し、蓋部４を構成する天壁４１に設けられた凸部４１４を下側のブレードケース２の収納部３を構成する底壁３１に形成された凹部３１４と嵌合することにより、脱落や位置ずれを生ずることなく積み重ねることができる。また、上記凹部３１４および凸部４１４は直線部を有するＤ字形（非円形）に形成されているので、凹部３１４と凸部４１４が嵌合したブレードケース相互の回転が規制されるため、整列状態が維持され、搬送及び保管に都合がよい。
【００１３】
上述した収納部３と蓋部４は、側壁３２の直線部３２３と側壁４２の直線部４２３がヒンジ５を介して開閉可能に連結されている。このように、収納部３と蓋部４とによって構成されるブレードケース２はその外周に直線部を備えているので、転がり難く、例えばテーブルからの落下を未然に防止することができる。
【００１４】
以上のように構成された収納部３と蓋部４には、図３に示すように蓋部４を収納部３に閉止したとき閉止状態を維持するロック手段６が設けられている。ロック手段６は、収納部３の側壁３２を構成する円弧部３２１の中央部に形成された偏平部３２１ａに設けられた係止突起６１と、蓋部４の側壁３２を構成する円弧部４１１の中央部に設けられ上記閉止状態で係止突起６１と係合する係合片６２とからなっている。なお、ロック手段６の上記閉止状態を解除するには、係合片６１の下端を外側に変位させることによって、係止突起６１と係合片６２との係合を外す。
【００１５】
図示の実施形態のおけるブレードケース２は、蓋部４に設けられ収納部３と蓋部４が図３に示す閉止状態において、ブレード支持手段３３のブレード支持部３３２上に載置されたブレード１０を押圧するブレード押さえ手段７を具備している。このブレード押さえ手段７について、図４をも参照して説明する。ブレード押さえ手段７は、上記収納部３の底壁３１に設けられたブレード支持部３３２の外径と略同じ外径を有する環状のブレード押さえ部７１と、該環状のブレード押さえ部７１の中心部に設けられた中央支持部７２と、該中央支持部７２と環状のブレード押さえ部７１とを接続する略１２０度の角度をもって配設された３本の脚部７３と、該３本の脚部７３の間において中央支持部７２から斜め上方に突出して設けられた３本のバネ部７４とからなっており、これらはポリプロピレン等の合成樹脂によって一体成形されている。なお、上記３本の脚部７３の幅は、上記３個の中心穴支持部３３１間に設けられた３個の逃げ凹部３３２ａの幅より小さい寸法に形成されており、収納部３と蓋部４が図３に示す閉止状態のとき凹部３３２ａに嵌入する。上記ブレード押さえ手段７を構成する中央支持部７２の中心部には、蓋部４を構成する天壁４１の中心部下面から突出して設けられた支持柱４１５に嵌合する嵌合穴７２１が形成されている。このように構成されたブレード押さえ手段７は、図２に示すようにバネ部７４の先端を天壁４１側に向けて嵌合穴７２１を支持柱４１５に嵌合する。そして、支持柱４１５の中心部に形成された栓孔４１５ａに止め栓７５を圧入嵌合することによって、ブレード押さえ手段７を蓋部４に装着することができる。
【００１６】
図１乃至図４に示す実施形態におけるブレードケース２は以上のように構成されており、以下、ブレード１０の収納について説明する。ブレードケース２の蓋部４を図１または図２で示すように開放した状態で、ブレード１０の中心穴１０ａを収納部３の底壁３１に設けられた中心穴支持部３３１に嵌合し、ブレード１０の下面をブレード支持部３３２上に載置する。次に、蓋部４をヒンジ５を中心に回動し図３に示すように収納部３に重合して閉止状態にすると、蓋部４に設けられた係合片６２が収納部３に設けられた係止突起６１と係合して、閉止状態が維持される。このとき、ブレード押さえ手段７を構成する環状のブレード押さえ部７１がバネ部７４のバネ作用によってブレード支持部３３２上に載置されたブレード１０の上面を押圧する。従って、ブレード支持部３３２とブレード押さえ部７１によって挟持されたブレード１０は、ブレードケース２内に収納した状態で確実に固定される。なお、収納部３と蓋部４が閉止状態となったとき、ブレード押さえ手段７の３本の脚部７３が中心穴支持部３３１間に設けられた３個の逃げ凹部３３２ａに嵌入し、ブレード押さえ手段７の止め栓７５が底壁３１に設けられた逃げ穴３１５に嵌入して、それぞれの干渉が防止される。
【００１７】
次に、収納部３に設けられたブレード支持手段の他の実施形態について、図５を参照して説明する。
図５に示す実施形態におけるブレード支持手段８は、収納部３を構成する底壁３１と別体で構成されている。即ち、ブレード支持手段８は、円盤状の基部８０を有し、この基部８０の上面に環状の突出部が略１２０度の角度毎に設けられた３個の逃げ凹部８１１によって３個に分割して形成された中心穴支持部８１が突出して設けられている。３個の中心穴支持部８１の外周面はブレード１０の中心穴１０ａと対応する半径の円弧面によって形成されている。そして、基部８０における中心穴支持部８１の外側がブレード支持部８２として機能する。このように形成されたブレード支持手段８の基部８０には、３個の支持孔８０１が形成されている。この３個の支持孔８０１に関連して、収納部３を構成する底壁３１の上面中央部には３本の支持突起３１６が設けられている。そして、基部８０に形成された３個の支持孔８０１を収納部３の底壁３１に設けられた３本の支持突起３１６と嵌合することにより、ブレード支持手段８を収納部３に装着することができる。なお、基部８０の中央部には、逃げ穴８０２が形成されている。このように図示の実施形態におけるブレードケースは、ブレード支持手段６を収納部３と別体で構成し着脱可能にしたので、中心穴支持部８１の外径が異なる数種のブレード支持手段８を用意し、ブレードの中心穴の径に対応して交換することにより、中心穴の径が異なるブレードでもガタ付きが生じない状態で確実に収納することができる。なお、ブレード押さえ手段７もブレード押さえ部７１の外径が異なる数種を用意し、ブレードに対応して交換することが好ましい。
【００１８】
【発明の効果】
本発明に係るブレードケースは以上のように構成されているので、次の作用効果を奏する。
【００１９】
即ち、本発明によれば、収納部と蓋部が閉止状態においてブレード支持部に載置されたブレードを押圧するブレード押さえ手段を備えているので、ブレードはブレード支持部とブレード押さえ手段によって挟持され、ブレードケース内に収納した状態で確実に固定される。従って、ブレードケース内に確実に固定されて収納されたブレードはガタ付きが生じないので、搬送中におけるブレードの破損を防止することができる。
【００２０】
また、上記ブレード押さえ手段は、ブレードを押さえるブレード押さえ部と、該ブレード押さえ部を付勢するバネ部とから構成されており、バネ部のバネ力によってブレードを押圧するので、ブレードの固定がより確実となる。
【００２１】
また、上記ブレード支持手段を構成する中心穴支持部とブレード支持部は一体に形成されており、収納部の底壁に着脱可能に構成されているので、中心穴支持部の外径が異なる数種のブレード支持手段を用意し、ブレードの中心穴の径に応じて適宜選択して交換することにより、中心穴の径の異なるブレードにも対応することができる。このように、ブレード支持手段だけをブレードの中心穴の径に対応して用意すればよいので、ブレードの中心穴の径に対応して数種のブレードケースを用意する従来のものに比して経済的となる。
【００２２】
更に、上記収納部と蓋部はそれぞれその外周が少なくとも一つの直線部を有しており、該直線部において収納部と蓋部が該ヒンジを介して開閉可能に連結されているので、ブレードケースの外周には直線部が形成されるため、転がり難く、例えばテーブルからの落下を未然に防止することができる。
【００２３】
また、上記収納部の底壁には非円形の凹部が形成されており、上記蓋部の天壁には該凹部と嵌合する非円形の凸部が形成されているので、複数個のブレードケースを積み重ねたとき、上記凹部と凸部が嵌合したブレードケース相互の回転が規制されるため、整列状態が維持され、搬送及び保管に都合がよい。
【００２４】
また、本発明によれば、上記収納部と蓋部およびヒンジは、ポリプロピレンによって一体成形されているので、リサイクルが可能である。
【図面の簡単な説明】
【図１】本発明に従って構成されたブレードケースの一実施形態を示す斜視図。
【図２】図１に示すブレードケースの断面図。
【図３】図１に示すブレードケースにブレードを収納した状態を示す断面図。
【図４】図１に示すブレードケースに配設されるブレード押さえ手段の斜視図。
【図５】図１に示すブレードケースに設けられるブレード支持手段の他の実施形態を示す斜視図。
【符号の説明】
２：ブレードケース
３：収納部
３１：収納部の底壁
３２：収納部の側壁
３３：ブレード支持手段
３３１：ブレード支持手段の中心穴支持部
３３２：ブレード支持手段のブレード支持部
３１４：非円形の凹部
４：蓋部
４１：蓋部の天壁
４２：蓋部の側壁
４１４：非円形の凸部
５：ヒンジ
６：ロック手段
６１：ロック手段の係止突起
６２：ロック手段の係合片
７：ブレード押さえ手段
７１：ブレード押さえ手段の環状のブレード押さえ部
８２：ブレード押さえ手段の中央支持部
８３：ブレード押さえ手段の脚部
７４：ブレード押さえ手段のバネ部
８：ブレード支持手段（他の実施形態）
１０：ブレード
【図１】
0004564638.tif 000002
【図２】
0004564638.tif 000003
【図３】
0004564638.tif 000004
【図４】
0004564638.tif 000005
【図５】
0004564638.tif 000006